(57)【要約】【課題】消臭の寿命が長く、しかも消臭性能の良好な消臭剤を提供する。【解決手段】水に不溶であり且つ吸水して膨潤するゲル化担体に、光触媒性微粒子を含有する水を吸収させることによって、透明ゲル状の粒状体からなる消臭剤Ａを形成する。光触媒性微粒子の光触媒作用によって、臭気物質を分解して消臭をすることができる。光触媒性微粒子の光触媒作用は長期に亘って維持されるため、消臭の寿命を長く保つことができる。また光触媒性微粒子を担持する粒状体は透明ゲル状であるため、光を良く通して光触媒性微粒子に紫外線を効率良く照射させることができ、しかも粒状体は表面積が大きく、多くの光触媒性微粒子を表面に存在させることができ、光触媒性微粒子の光触媒作用を高く得ることができる。【選択図】図１
2008295808.tif 000002
【特許請求の範囲】
【請求項１】
水に不溶であり且つ吸水して膨潤するゲル化担体に、光触媒性微粒子を含有する水を吸収させることによって形成される、透明ゲル状の粒状体からなることを特徴とする消臭剤。
【請求項２】
上記光触媒含有水は、水中に０．００５〜５．０質量％の光触媒性微粒子を含有することを特徴とする請求項１に記載の消臭剤。
【請求項３】
上記光触媒含有水には、光触媒性微粒子以外の消臭成分を含有することを特徴とする請求項１又は２に記載の消臭剤。
【請求項４】
請求項１乃至３のいずれか１項に記載の消臭剤を透明容器に充填すると共に、通気性を有する蓋で透明容器を閉塞して成ることを特徴とする消臭装置。
【発明の詳細な説明】
【技術分野】
【０００１】
本発明は、光触媒を消臭成分として含有する消臭剤及び消臭装置に関するものである。
【背景技術】
【０００２】
屋内などにおいて悪臭を除去するために従来から種々の消臭剤が使用されている。この消臭剤としては、例えば消臭性化合物をゲル基剤に含有させたものが広く知られている（例えば特許文献１等参照）。このような消臭剤では、臭気物質に消臭性化合物を反応させることによって、消臭を行なうことができる。
【特許文献１】特開平０８−２８９９２４号公報
【発明の開示】
【発明が解決しようとする課題】
【０００３】
しかし従来から提供されている上記のような消臭剤では、消臭性化合物が消費されると、消臭性能がなくなるものであり、消臭の寿命が短いという問題を有するものであった。
【０００４】
本発明は上記の点に鑑みてなされたものであり、消臭の寿命が長く、しかも消臭性能の良好な消臭剤を提供することを目的とするものである。
【課題を解決するための手段】
【０００５】
本発明に係る消臭剤は、水に不溶であり且つ吸水して膨潤するゲル化担体に、光触媒性微粒子を含有する水を吸収させることによって形成される、透明ゲル状の粒状体からなることを特徴とするものである。
【０００６】
光触媒性微粒子の光触媒作用によって、臭気物質を分解して消臭をすることができるものであり、光触媒性微粒子の光触媒作用は長期に亘って維持されるため、消臭の寿命を長く保つことができるものである。また光触媒性微粒子を担持する粒状体は透明ゲル状であるため、光を良く通して光触媒性微粒子に紫外線を効率良く照射させることができ、しかも粒状体は表面積が大きく、多くの光触媒性微粒子を表面に存在させることができ、光触媒性微粒子の光触媒作用を高く得ることができるものであり、高い消臭性能を得ることができるものである。
【０００７】
本発明において、上記光触媒含有水は、水中に０．００５〜５．０質量％の光触媒性微粒子を含有する構成とすることが好ましい。
【０００８】
このように構成すれば、高い消臭性能を得ることができるものである。
【０００９】
本発明において、上記光触媒含有水には、光触媒性微粒子以外の消臭成分を含有する構成とすることもできる。
【００１０】
このように構成すれば、光触媒性微粒子に加えて他の消臭成分による消臭作用で、より高い消臭性能を得ることができるものである。
【００１１】
本発明の消臭装置は、上記の消臭剤を透明容器に充填すると共に、通気性を有する蓋で透明容器を閉塞して成ることを特徴とするものである。
【００１２】
この発明によれば、透明容器を通して消臭剤の光触媒性微粒子に紫外線を効率良く照射させることができ、高い消臭性能で消臭を行なうことができるものである。
【発明の効果】
【００１３】
本発明によれば、光触媒性微粒子の光触媒作用によって、臭気物質を分解して消臭をすることができるものであり、光触媒性微粒子の光触媒作用は長期に亘って維持されるため、消臭の寿命を長く保つことができるものである。また光触媒性微粒子を担持する粒状体は透明ゲル状であるため、光を良く通して光触媒性微粒子に紫外線を効率良く照射させることができ、しかも粒状体は表面積が大きく、多くの光触媒性微粒子を表面に存在させることができ、光触媒性微粒子の光触媒作用を高く得ることができるものであり、高い消臭性能を得ることができるものである。
【発明を実施するための最良の形態】
【００１４】
以下、本発明を実施するための最良の形態を説明する。
【００１５】
本発明において光触媒性微粒子としては、光触媒作用を有するものであれば特に制限されることなく使用することができるものであり、このような光触媒作用を有するものとして酸化チタン（ＴｉＯ２）の微粒子を挙げることができる。
【００１６】
また本発明において、水に不溶であり且つ吸水して膨潤するゲル化担体としては、いわゆる高吸水性樹脂（高吸水性ポリマー）を使用することができる。この高吸水性樹脂は自重の数百倍の水を吸水することができると共にゲル化状態を安定して保持することができるものであり、イソブチレン−無水マレイン酸共重合体アルカリ金属塩、架橋ポリアルキレンオキサイド、アクリル酸重合体部分ナトリウム塩架橋物など、市販されている任意のものを用いることができる。なかでも本発明では、吸水後も透明ゲル状を保ち、球状など粒状に膨潤するものが好ましい。
【００１７】
そして光触媒性微粒子を水に分散させて光触媒含有水を調製し、この光触媒含有水を上記のゲル化担体に吸水させることによって、膨潤して透明ゲル状の粒状体となった本発明の消臭剤を得ることができるものである。このように光触媒性微粒子を含有する水がゲル化担体に吸収されると、水と共に光触媒性微粒子も浸透してゲル状粒状体に光触媒性微粒子を担持させることができるものである。水はゲル状粒状体の内部にまで容易に浸透して吸収されるが、光触媒性微粒子は水に比べてゲル状粒状体の内部への浸透性は低いので、光触媒性微粒子はゲル状粒状体の表層部に多く担持されていると考えられる。ゲル化担体への光触媒含有水の吸収量は特に制限されるものではなく、飽和状態にまでゲル化担体に光触媒含有水を吸収させるようにすればよい。
【００１８】
光触媒含有水には必要に応じて香料や界面活性剤などを配合することもできる。また光触媒含有水は、水中に０．００５〜５．０質量％の光触媒性微粒子を含有するように光触媒性微粒子の配合量を調整するのが好ましい。水に対する光触媒性微粒子の含有量が０．００５質量％未満であると、ゲル状粒状体に担持される光触媒性微粒子の量が少なくなって、光触媒性微粒子による消臭効果を十分に得ることができない。逆に、水に対する光触媒性微粒子の含有量が５．０質量％を超えると、ゲル状粒状体に担持される光触媒性微粒子の量が多くなりすぎて、ゲル状粒状体が白く濁って透明性が損なわれるおそれがあり、また光触媒性微粒子の光触媒作用でゲル状粒状体を構成する樹脂が分解されて劣化するおそれがある。水に対する光触媒性微粒子の含有量は１．０質量％以下であることがより好ましい。
【００１９】
また、上記の光触媒含有水には、光触媒性微粒子以外に他の消臭成分を含有させることもできるものであり、この他の消臭成分を含有する光触媒含有水をゲル化担体に吸水させることによって、光触媒性微粒子以外に他の消臭成分もゲル状粒状体に担持させることができるものである。この消臭成分としては、従来から使用されている任意のものを用いることができるが、例えば植物から抽出された抽出物を使用することができる。このような植物抽出物由来の消臭成分としては、例えば特開２０００−３２５４５３号公報で提供されているものを使用することができる。このものは、植物から抽出された抽出物よりなる消臭有効成分に、Ｌ−酒石酸、マレイン酸、コハク酸、リンゴ酸、クエン酸および乳酸よりなる群から選ばれた１種以上の有機酸またはそのアルカリ塩と、グリオキシル酸と、グリセリン、プロピレングリコールおよびエチレングリコールよりなる群から選ばれた１種以上の湿潤剤とを添加して、ｐＨを３〜５に調整したものであり、消臭有効成分を抽出する植物としては、例えば、ドクダミ、イチョウ、クロマツ、キリ、ヒイラギモクセイ、ライラック、キンモクセイ、レンギョウ等が好ましく、その他のモクセイ科植物、マツ科植物等も広く使用することができる。光触媒含有水中のこの消臭成分の含有量は、必要に応じて任意の量に設定することができるが、例えば０．１〜１０質量％程度の範囲に設定することができる。
【００２０】
上記のように光触媒含有水を吸水させた透明ゲル状粒状体からなる本発明の消臭剤Ａは、光触媒性微粒子を担持しているので、光触媒性微粒子の光触媒作用によって、アミン系、メルカプタン系、アルデヒド系などの各種の臭気物質を分解して、消臭をすることができるものである。この光触媒性微粒子の光触媒作用は臭気物質を分解することによって消費されるようなものではなく、光触媒作用は長期に亘って維持されるものであり、消臭の寿命を長く保つことができるものである。また光触媒性微粒子の光触媒作用を発揮するためには紫外線が照射されることが必要であるが、また光触媒性微粒子を担持する粒状体は透明ゲル状であるため、光を良く通して光触媒性微粒子に紫外線を効率良く照射させることができるものであり、しかも多数の消臭剤Ａの粒を充填した状態でも、内部に充填された消臭剤Ａの粒に紫外線を到達させることができるものであり、光触媒性微粒子の光触媒作用を高く得ることができ、高い消臭性能を得ることができるものである。さらに消臭剤Ａを構成する粒状体はブロック状のものに比べて表面積が大きく、多くの光触媒性微粒子を表面に存在させることができるものであり、光触媒性微粒子の光触媒作用を臭気物質に対して効率よく作用させることができ、高い消臭性能を得ることができるものである。
【００２１】
さらに、光触媒性微粒子以外の他の消臭成分を消臭剤Ａを構成するゲル状粒状体に担持させている場合には、光触媒性微粒子による光触媒作用の他に、他の消臭成分の独自の消臭作用で消臭を行なうことができるものであり、相乗効果でより高い消臭性能を得ることができるものである。例えば、光触媒性微粒子による光触媒作用では分解し難い臭気物質を分解する能力の高い消臭成分を用いることによって、広い範囲で各種の臭気を消臭することが可能になるものである。
【００２２】
上記のように光触媒含有水を吸水させたゲル状粒状体からなる消臭剤Ａは、任意の方法で使用することができるが、例えば図１に示すように消臭容器Ｂに充填し、消臭容器Ｂを家屋の室内、トイレ、キッチンや、自動車の車内などに置いて使用することができる。消臭容器Ｂは透明容器１と蓋２を備えて形成されるものであり、透明容器１に多数の消臭剤Ａの粒を充填し、通気口２を設けて通気性を有する蓋３で透明容器１の開口を閉塞したものである。このものでは、蓋３の通気口２から透明容器１内に流入した空気中の臭気物質を分解して消臭することができる。そして外部の光は透明容器１を通して容易に透過し、透明容器１内に充填した消臭剤Ａに紫外線を照射させることができるものであり、光触媒性微粒子による光触媒作用を高く発揮させることができるものである。
【実施例】
【００２３】
次に、本発明を実施例によって具体的に説明する。
【００２４】
（実施例１）
光触媒性微粒子としてアナターゼ型酸化チタン微粒子を用い、水にこの光触媒性微粒子を０．０１質量％の量で分散して、光触媒含有水を調製した。そして吸水性樹脂（クラレケミカル社製「アクアビーズ」）にこの光触媒含有水を飽和状態まで吸水させることによって、透明ゲル状球状体の消臭剤を得た。
【００２５】
（実施例２）
水に光触媒性微粒子を０．１質量％の量で分散して光触媒含有水を調製するようにした他は、実施例１と同様にして透明ゲル状球状体の消臭剤を得た。
【００２６】
（実施例３）
水に光触媒性微粒子を１．０質量％の量で分散して光触媒含有水を調製するようにした他は、実施例１と同様にして透明ゲル状球状体の消臭剤を得た。
【００２７】
上記の実施例１〜３で得た消臭剤を１Ｌの三角フラスコにそれぞれ５ｇ計り取り、これらの三角フラスコを密閉して、紫外灯あるいは蛍光灯の照射下にセッティングした後、悪臭物質ガス（トリメチルアミンあるいはメチルメルカプタン）を各三角フラスコに分注した。そして経時的に三角フラスコ内の悪臭物質ガスの濃度をガス検知管を用いて測定した。測定結果を図２に示す。図２（ａ）は悪臭物質ガスとしてトリメチルアミンを用い、紫外灯を照射したもの、図２(ｂ)は悪臭物質ガスとしてトリメチルアミンを用い、蛍光灯を照射したもの、図２（ｃ）は悪臭物質ガスとしてメチルメルカプタンを用い、紫外灯を照射したもの、図２(ｂ)は悪臭物質ガスとしてメチルメルカプタンを用い、蛍光灯を照射したものである。尚、ブランクは、消臭剤を入れない状態で測定したものである。
【００２８】
図２（ａ）（ｂ）にみられるように、トリメチルアミンに対して、紫外灯の照射下でも、蛍光灯の照射下でも、同程度の高い消臭性能が得られるものであった。一方、図２（ｃ）（ｄ）にみられるように、メチルメルカプタンに対しては、紫外灯の照射下で高い消臭性能が得られるものであり、また光触媒の濃度が高いほど消臭効果が高まるものであった。
【００２９】
（実施例４）
光触媒性微粒子としてアナターゼ型酸化チタン微粒子を用い、また他の消臭成分として植物抽出物由来の松下電工化研（株）製「スーパーピュリエール」を用い、水に光触媒性微粒子を０．０５質量％、「スーパーピュリエール」を２．０質量％の量で配合して、光触媒含有水を調製した。そして吸水性樹脂（クラレケミカル社製「アクアビーズ」）にこの光触媒含有水を飽和状態まで吸水させることによって、透明ゲル状球状体の消臭剤を得た。
【００３０】
この実施例４で得た消臭剤を４．５Ｌのアクリルボックスに１５０ｇ計り取り、ボックスを密閉して、太陽光あるいは蛍光灯の照射下にセッティングした後、悪臭物質ガス（トリメチルアミンあるいはメチルメルカプタン）を注入した。そして経時的にボックス内の悪臭物質ガスの濃度をガス検知管を用いて測定した。測定結果を図３に示す。図３（ａ）は悪臭物質ガスとしてトリメチルアミンを用い、太陽光を照射したもの、図３(ｂ)は悪臭物質ガスとしてトリメチルアミンを用い、蛍光灯を照射したもの、図３（ｃ）は悪臭物質ガスとしてメチルメルカプタンを用い、太陽光を照射したもの、図３(ｂ)は悪臭物質ガスとしてメチルメルカプタンを用い、蛍光灯を照射したものである。尚、ブランクは、消臭剤を入れない状態で測定したものである。
【００３１】
図３（ａ）〜（ｄ）にみられるように、トリメチルアミンとメチルメルカプタンのいずれに対しても、太陽光の照射下と蛍光灯の照射下のいずれも高い消臭性能を得ることができるものであった。また上記図２（ｃ）（ｄ）と図３（ｃ）（ｄ）の比較にみられるように、光触媒性微粒子と植物抽出物由来の消臭成分を併用することによって、メチルメルカプタンに対する消臭性能を高めることができるものであった。
【図面の簡単な説明】
【００３２】
【図１】本発明に係る消臭装置の一例を示す斜視図である。
【図２】実施例１〜３の消臭剤の消臭性能の測定結果を示すグラフである。
【図３】実施例４の消臭剤の消臭性能の測定結果を示すグラフである。
【符号の説明】
【００３３】
Ａ  消臭剤
Ｂ  消臭容器
１  透明容器
２  通気口
３  蓋
【図１】
2008295808.tif 000003
【図２】
2008295808.tif 000004
【図３】
2008295808.tif 000005